(57)【要約】【課題】多点の測距点を備えるオートフォーカス方式を採用するカメラにおいて、撮影者がどの測距点が使用可能かを容易に判別できるようにする。【解決手段】画面内の複数箇所に配置され、画面内の複数箇所のデフォーカス量を位相検知方式で検出する複数の検出センサー２４ａ〜２４ｆと、カメラの状態に応じて、複数の検出センサーのうちのどの検出センサーでデフォーカス量を検出可能かを表示する表示装置と、を具備する。【選択図】      図２
2006154668.tif 000002
【特許請求の範囲】
【請求項１】
画面内の複数箇所に配置され、画面内の複数箇所のデフォーカス量を位相検知方式で検出する複数の検出センサーと、
カメラの状態に応じて、前記複数の検出センサーのうちのどの検出センサーでデフォーカス量を検出可能かを表示する表示手段と、
を具備することを特徴とするカメラ。
【請求項２】
前記カメラの状態とは、オートフォーカスに用いる補助光の種類に応じた状態であることを特徴とする請求項１に記載のカメラ。
【請求項３】
前記カメラの状態とは、該カメラに装着されるレンズの開放Ｆ値に応じた状態であることを特徴とする請求項１に記載のカメラ。
【請求項４】
前記表示手段は、カメラの外表面に配置されていることを特徴とする請求項１に記載のカメラ。
【請求項５】
前記表示手段は、カメラのファインダー内に配置されていることを特徴とする請求項１に記載のカメラ。
【請求項６】
画面内の複数箇所に配置され、画面内の複数箇所のデフォーカス量を位相検知方式で検出する複数の検出センサーを備えるカメラを制御する方法であって、
カメラの状態に応じて、前記複数の検出センサーのうちのどの検出センサーでデフォーカス量を検出可能かを表示する表示工程を備えることを特徴とするカメラの制御方法。
【請求項７】
前記カメラの状態とは、オートフォーカスに用いる補助光の種類に応じた状態であることを特徴とする請求項６に記載のカメラの制御方法。
【請求項８】
前記カメラの状態とは、該カメラに装着されるレンズの開放Ｆ値に応じた状態であることを特徴とする請求項６に記載のカメラの制御方法。
【発明の詳細な説明】
【技術分野】
【０００１】
本発明は、画面の複数箇所において位相検知方式でピント合わせ可能なオートフォーカス機能を有するカメラに関するものである。
【背景技術】
【０００２】
従来、位相検知方式のオートフォーカスカメラでは、位相検知のためのラインセンサーの延長方向と被写体のグラデーションの無い方向が重なっている場合は測距できないという特徴がある。
【０００３】
その原理を示したものが図７及び図８である。
【０００４】
図７では、位相検知用のラインセンサー４０４の延長方向（図中上下方向）とチャート４００上のパターン４００ａの延長方向（図中水平方向）が垂直の関係で、このような場合は、セパレータレンズ４０３で分かれたパターン４００ａの２つの像がラインセンサー４０４上で２つの山４０５を持つ信号として検出される。この２つの山のラインセンサー４０４上の位置の相関関係によりピントずれ量が算出される。
【０００５】
一方、図８では、位相検知用のラインセンサー４０４の延長方向（図中上下方向）とチャート４０１上のパターン４０１ａの延長方向（図中上下方向）が平行な関係で、このような場合は、セパレータレンズ４０３を通した像がラインセンサー４０４上に山のない信号４０６として検出される。即ち、像信号に山がないため、２つの山の位置の相関関係によりピントずれ量を算出することができない。
【０００６】
つまり、ラインセンサーの向きと被写体のコントラストの向きにより、測距ができたりできなかったりする。
【０００７】
そこで、縦線でも横線でも測距可能なように、ラインセンサーを十字に配置したものや、ラインセンサーを傾けて配置したものが製品化されている。
【特許文献１】特開２０００−２９２６８１号公報
【発明の開示】
【発明が解決しようとする課題】
【０００８】
ところで、位相検知式のオートフォーカス方式では、カメラに装着されるレンズの開放Ｆ値により基線長が変わり、測距精度が変わる。つまり、開放Ｆ値が小さい明るいレンズ（例えばＦ２．８）では、基線長が長くなって測距精度が上がり、開放Ｆ値が大きい暗いレンズ（例えばＦ５．６）では、基線長が短くなり測距精度が低下する。カメラに装着されるレンズは明るいレンズばかりではないため、実用的には、Ｆ５．６の光束を用いて位相検知を行なうのが一般的である。しかし、開放Ｆ値の小さい明るいレンズを用いる場合には、より測距精度を向上させることが求められる場合がある。
【０００９】
そこで、測距精度を向上させるために、上記のようなラインセンサーを十字に配置する場合では、縦線検出用のセンサーでは、Ｆ２．８の光束を用いて測距を行なって測距精度の向上を図り、横線検出用のセンサーでは、Ｆ５．６の光束を用いて測距を行なって暗いレンズでも測距を可能にするという構成をとる場合がある。
【００１０】
この場合、ラインセンサーを十字に配置したとしても、開放Ｆ値がＦ２．８より暗いレンズを使用すると、横線のみしか検出できないことになり、撮影者にとっては、現在使用しているレンズの場合、縦横の両方の線を検出できるのか、縦横のどちらか一方の線しか検出できないのかが分かりづらいという問題がある。
【００１１】
また、ＡＦ補助光を用いる場合などでは、ＡＦ補助光の投光パターンの制約から、オートフォーカスができない測距点が発生する場合がある。
【００１２】
即ち、従来の多点の測距点を備えるオートフォーカス方式では、レンズや補助光の制約から、どの測距点でオートフォーカスが可能であるかが撮影者にとって分かりにくく、また、各測距点で縦線、横線のいずれにピント合わせが可能であるかも分かりにくいという問題があった。
【００１３】
従って、本発明は上述した課題に鑑みてなされたものであり、その目的は、多点の測距点を備えるオートフォーカス方式を採用するカメラにおいて、撮影者がどの測距点が使用可能かを容易に判別できるようにすることである。
【課題を解決するための手段】
【００１４】
上述した課題を解決し、目的を達成するために、本発明に係わるカメラは、画面内の複数箇所に配置され、画面内の複数箇所のデフォーカス量を位相検知方式で検出する複数の検出センサーと、カメラの状態に応じて、前記複数の検出センサーのうちのどの検出センサーでデフォーカス量を検出可能かを表示する表示手段と、を具備することを特徴とする。
【００１５】
また、この発明に係わるカメラにおいて、前記カメラの状態とは、オートフォーカスに用いる補助光の種類に応じた状態であることを特徴とする。
【００１６】
また、この発明に係わるカメラにおいて、前記カメラの状態とは、該カメラに装着されるレンズの開放Ｆ値に応じた状態であることを特徴とする。
【００１７】
また、この発明に係わるカメラにおいて、前記表示手段は、カメラの外表面に配置されていることを特徴とする。
【００１８】
また、この発明に係わるカメラにおいて、前記表示手段は、カメラのファインダー内に配置されていることを特徴とする。
【００１９】
また、本発明に係わるカメラの制御方法は、画面内の複数箇所に配置され、画面内の複数箇所のデフォーカス量を位相検知方式で検出する複数の検出センサーを備えるカメラを制御する方法であって、カメラの状態に応じて、前記複数の検出センサーのうちのどの検出センサーでデフォーカス量を検出可能かを表示する表示工程を備えることを特徴とする。
【００２０】
また、この発明に係わるカメラの制御方法において、前記カメラの状態とは、オートフォーカスに用いる補助光の種類に応じた状態であることを特徴とする。
【００２１】
また、この発明に係わるカメラの制御方法において、前記カメラの状態とは、該カメラに装着されるレンズの開放Ｆ値に応じた状態であることを特徴とする。
【発明の効果】
【００２２】
本発明によれば、多点の測距点を備えるオートフォーカス方式を採用するカメラにおいて、撮影者がどの測距点が使用可能かを容易に判別できるようにすることが可能となる。
【発明を実施するための最良の形態】
【００２３】
以下、本発明の好適な実施形態について、図面を参照して詳細に説明する。
【００２４】
以下では、撮影状態（ＡＦ補助光の状態）により、複数の測距点のうちどの測距点が有効であるか表示する実施形態について説明する。
【００２５】
（第１の実施形態）
図５は、本発明の実施形態に係わるカメラの概略構成を示すブロック図である。
【００２６】
図５において、１は交換可能な撮影レンズであり、単焦点レンズでもズームレンズでもよい。レンズ１の内部のＡＦ（オートフォーカス）レンズ駆動部１ａは、例えばステッピングモータによって構成され、カメラ内のマイクロコンピュータ１６と通信し、マイクロコンピュータ１６の制御によってフォーカスレンズの位置を変化させることによりピントを合わせる。フォーカス調整に用いるデフォーカス量は、カメラ内のＡＦセンサー２４の出力を用いて算出する。
【００２７】
カメラ内のＡＦセンサー２４は多点の測距点を備えており、図１に示すように複数のラインセンサー２４ａ〜２４ｆを備えている。図１は、５箇所の測距が可能な例である。ラインセンサー２４ａ〜２４ｆは、それぞれが２ラインで１セットのセンサーを備えており、６セット１２ラインで構成される。
【００２８】
また、被写体のコントラストがなく測距不能で補助光が必要な場合は、ＡＦ補助光２６を用いて測距を行う。
【００２９】
また、レンズ１内には絞り駆動部１ｂが配置されており、マイクロコンピュータ１６の制御によって光学的な絞り値を変化させる。また、マイクロコンピュータ１６はレンズ１と通信し、現在のズーム位置（焦点距離情報）、現在の距離環位置（被写体距離情報）の情報を取得することが可能である。
【００３０】
２はクイックリターンミラーであり、露光の際にマイクロコンピュータ１６の指示で不図示のアクチュエーターによりアップダウンする。また、クイックリターンミラー２は、ＡＦ光学系（ＡＦセンサー２４）に光を導くためにハーフミラーで構成され、ＡＦ光学系に光を導くためのサブミラーも連動して移動する。
【００３１】
３はフォーカシングスクリーンで、撮影者はペンタプリズム４とファインダー光学系とを通してフォーカシングスクリーンを観察することで、レンズ１を通して結像された像のピントや構図の確認が可能となる。
【００３２】
５はフォーカルプレーンシャッターで、マイクロコンピュータ１６の制御でＣＣＤの露光時間を調節する。フォーカルプレーンシャッターは一般的には先幕、後幕から構成され、２枚の幕の間隔で任意の露光時間が制御される。
【００３３】
撮像素子６としては、ＣＣＤ、Ｃ−ＭＯＳ等が用いられ、レンズ１によって結像された被写体像を光電変換して電気信号として取り出す。
【００３４】
クランプ／ＣＤＳ回路７及びＡＧＣ回路８は、Ａ／Ｄ変換をする前の基本的なアナログ処理を行う。マイクロコンピュータ１６により、クランプレベルやＡＧＣ基準レベルの変更も可能である。
【００３５】
Ａ／Ｄ変換器９は、撮像素子６から出力されるアナログ信号をデジタル信号に変換する。この際、設定されているＩＳＯ感度に応じた変換を行う。
【００３６】
映像信号処理回路１０は、デジタル化された画像データに、フィルター処理、色変換処理、ガンマー／ニー処理を行い、メモリーコントローラ１３に出力する。また、この映像信号処理回路１０はＤ／Ａ変換器も内蔵しており、Ａ／Ｄ変換器９から入力される画像データ、及びメモリーコントローラ１３から逆に入力される画像データをアナログ信号に変換し、液晶駆動回路１１を通して液晶表示部１２に出力することも可能である。これらの機能切り替えはマイクロコンピュータ１６とのデータ交換により行われ、ホワイトバランス情報をマイクロコンピュータ１６に出力可能である。その情報を基にマイクロコンピュータ１６はホワイトバランス調整を行う。
【００３７】
マイクロコンピュータ１６の指示により、何もせずにメモリーコントローラ１３を通してバッファメモリー１９に画像データを保存することも可能である。
【００３８】
また、映像信号処理回路１０はＪＰＥＧなどの圧縮処理する機能も有している。連写の場合は、一旦バッファメモリー１９に撮影データを格納し、処理時間があるときにメモリーコントローラ１３を通して未処理の画像データを読み出し、映像信号処理回路１０で画像処理や圧縮処理を行い連写スピードを稼ぐ。連写枚数は、バッファメモリー１９の大きさに大きく左右される。
【００３９】
また、マイクロコンピュータ１６は、メモリーコントローラ１３を通してメモリー１４の残容量を確認し、その残容量と撮影前に設定されているＩＳＯ感度、画像サイズ、画質に応じた画像サイズの予測値データとに基づいて、撮影可能残数を演算し、外部液晶表示部２２に表示する。
【００４０】
メモリーコントローラ１３は、映像信号処理回路１０から入力された未処理のデジタル画像データをバッファメモリー１９に格納し、処理済みのデジタル画像をメモリー１４に格納したり、逆にバッファメモリー１９やメモリー１４から画像データを映像信号処理回路部１０に出力したりする。また、メモリーコントローラ１３は、外部インターフェース１５から送られてくる画像をメモリー１４に記憶したり、メモリー１４に記憶されている画像を外部インターフェース１５から出力可能である。メモリー１４は取り外し可能である場合もある。
【００４１】
電源部１７は、各ＩＣや駆動系に必要な電源を供給する。
【００４２】
操作部材１８の状態は、マイクロコンピュータ１６に伝えられ、マイクロコンピュータ１６はその操作部材１８の状態変化に応じて各部をコントロールする。
【００４３】
２０はレリーズ釦であり、操作部材１８の一部を構成する入力スイッチである。スイッチＳＷ１（２０ａ）のみオンの状態はレリーズ釦半押し状態であり、スイッチＳＷ１（２０ａ）、及びスイッチＳＷ２（２０ｂ）が共にオンの場合はレリーズ釦オン状態で、撮影動作が行われる。
【００４４】
操作部材１８には、レリーズ釦２０のほかに、ＩＳＯ設定釦、画像サイズ設定釦、画質設定釦、情報表示釦など不図示のスイッチが含まれており、各スイッチの状態がマイクロコンピュータ１６により監視されている。
【００４５】
２１は液晶駆動回路であり、マイクロコンピュータ１６の表示内容命令に従って、外部液晶表示部２２やファインダー内液晶表示部２３を駆動する。また、ファインダー内液晶表示部２３には、不図示のＬＥＤなどのバックライトが配置されており、そのＬＥＤも液晶駆動回路２１で駆動される。
【００４６】
２４はＡＦセンサーで、マイクロコンピュータ１６にデフォーカス情報を出力し、マイクロコンピュータ１６は、その情報に基づいて、レンズ１の内部のＡＦレンズ駆動部１ａを用いてピントを合わせる。
【００４７】
２５はＡＥセンサーで、ファインダースクリーン上を測光し、レンズ１を通した被写体の輝度を測光する。
【００４８】
２６はＡＦ補助光で、ＡＦセンサー２４の蓄積に同期して点灯する。ＡＦ補助光２６には、図２乃至図４に示すように、パターンがある場合と、ランプが点灯するだけのパターンがないものがある。
【００４９】
次に、図６は本実施形態のカメラの動作を示すフローチャートである。
【００５０】
ステップＳ３００でカメラの動作が開始されると、ステップＳ３０１で、電源ＯＦＦタイマーがタイムアウトしたかどうかの判定を行い、タイムアウトと判定された場合は電源ＯＦＦの処理のためにステップＳ３２０に進む。タイムアウトされてない場合はステップＳ３０２に進む。
【００５１】
ステップＳ３０２では、各種の設定を行う、操作部材１８の入力により、カメラのモードなどの各種の設定を行う。撮影モード等の設定もここで行う。
【００５２】
ステップＳ３０３では、測光センサー２５を用いて被写体の輝度を測定し、適正露出を得るためのシャッター秒時や絞り値を演算する。
【００５３】
ステップＳ３０４では、ＡＦセンサー２４を用いて被写体のデフォーカス量を検知し、焦点調整を行う。ここで撮影条件により有効な測距点の判定も行う。実際の焦点自動調整は、ステップＳ３０５の表示を１回行った次の２回目から行う。
【００５４】
ステップＳ３０５では、ステップＳ３０２で設定した状態や、各種の設定状態を、外部液晶表示部２２などに表示する。また、ステップＳ３０２で設定された、ＩＳＯ感度、画像サイズ、画質に応じた画像サイズの予測値データをもとに、メモリーコントローラ１３を通してメモリー１４の容量を確認し、撮影可能残数を演算し、外部液晶表示部２２に表示する。また、ステップＳ３０３で演算されたシャッター秒時や絞り値、ステップＳ３０４で検出されたピントの状態を外部液晶表示部２２に表示する。また、ステップＳ３０４で判定された、有効な測距点を外部液晶表示部２２に表示する。
【００５５】
ステップＳ３０６では、レリーズ釦２０が半押し状態かどうかの判定を行い、スイッチＳＷ１（２０ａ）のみオンの半押し状態の場合は、タイマー更新のためにステップＳ３０７に進み、全く押されてない（スイッチＳＷ１（２０ａ）もスイッチＳＷ２（２０ｂ）も押されていない状態）ではステップＳ３０１に戻る。
【００５６】
ステップＳ３０７では、電源ＯＦＦタイマーの更新を行う。
【００５７】
ステップＳ３０８では、レリーズが可能状態であり、かつ、レリーズ釦２０が完全に押された（２０ａと２０ｂが同時にオン状態になった）かどうかの判定を行い、完全に押された状態の場合は画像を撮影するために、ステップＳ３０９に進み、押されてない場合はステップＳ３０１に戻る。
【００５８】
ステップＳ３０９では、クイックリターンミラー２を制御し、ミラーをアップ状態にするとともに、レンズ１に通信し、ステップＳ３０３で算出された絞り値にレンズ１の絞りを制御する。
【００５９】
ステップＳ３１０では、フォーカルプレーンシャッター５により、ステップＳ３０３で算出されたシャッター時間を制御し、撮像素子６からの画像信号を７，８，９の回路に入力する。
【００６０】
ステップＳ３１１では、クイックリターンミラー２を制御し、ミラーをダウン状態に戻すとともにレンズ１に通信し、レンズの絞りを開放状態に制御する。
【００６１】
ステップＳ３１２では、ＡＧＣ回路８に設定されたＩＳＯ値に対するゲイン値を送り、感度調整し、メモリーコントローラ１３に画像データを送り、バッファーメモリ１９に画像データを一時保管する。
【００６２】
ステップＳ３１３では、映像信号処理回路１０の出力であるホワイトバランス情報に基づいて、適正な色になるように、映像信号処理回路１０で用いるＲとＢのゲインとを演算し制御する。
【００６３】
ステップＳ３１４では、バッファメモリー１９に格納された未処理の画像を、映像信号処理回路１０の負荷が画像処理できるレベルであるときに処理して圧縮し、メモリー１４に格納する動作をスタートする。連写等の場合は、バッファメモリー１９に画像がどんどん格納されるが、画像処理は停止した状態になることもある。
【００６４】
ステップＳ３１５では、撮影可能枚数の算出を行う。
【００６５】
ステップＳ３１６では、ステップＳ３１４で処理された画像信号を液晶駆動回路１１に送り、液晶表示部１２に表示する。また、ステップＳ３０３、ステップＳ３０４、ステップＳ３１５で決定した撮影情報を液晶駆動回路２１に送り、外部液晶表示部２２やファインダー内液晶表示部２３に表示する。
【００６６】
ステップＳ３１７では、撮影された画像を液晶表示部１２に表示する。
【００６７】
ステップＳ３１８では、メモリー１４に記憶可能な領域が存在するかどうかの判定と、未処理のバッファメモリー１９の空き領域の判定に基づいて、撮影可能であるかどうかの判定を行い、撮影可能である場合は、ステップＳ３０１に進み、撮影可能でない場合は、警告表示を出すためにステップＳ３１９に進む。
【００６８】
ステップＳ３１９では、ステップＳ３１８で撮影不可能状態であると判定された旨の情報を表示する。
【００６９】
ステップＳ３２０では、液晶駆動回路１１により、液晶表示部１２を消灯し、液晶表示部２３のバックライトも消灯する。
【００７０】
ステップＳ３２１では、ステップＳ３１４でスタートした、画像処理、圧縮、メモリー格納がすべて終了し、バッファメモリー１９の撮影画像領域が空になるのを待つ。
【００７１】
ステップＳ３２２では、電源回路１７に指示を出し、必要の無い電源をＯＦＦとする。
【００７２】
そして、ステップＳ３２３で動作を終了する。
【００７３】
次に図１乃至図４を参照して、本実施形態の特徴的な部分について説明する。
【００７４】
図１は、本実施形態における多点の測距点の配置例を示す図であり、本実施形態では画面の５箇所の測距を行う。
【００７５】
中央の測距点は、十字センサーで、縦のＡＦセンサー２４ｃはＦ２．８の光束を用いて測距する。また、横のＡＦセンサー２４ｄはＦ５．６の光束を用いて測距を行う。
【００７６】
右端、右中、左端、左中の４つのＡＦセンサー２４ｆ，２４ｅ，２４ａ，２４ｂは縦ラインで、Ｆ５．６の光束を用いて測距する。
【００７７】
よって、本実施形態に示すＡＦセンサーは、
（１）中央縦（２４ｃ）：横線のようなもので測距可能。ただし、レンズの開放Ｆ値がＦ２．８より明るい場合。
（２）中央横（２４ｄ）：縦線のようなもので測距可能。
（３）右端（２４ｆ）：横線のようなもので測距可能。
（４）右中（２４ｅ）：横線のようなもので測距可能。
（５）左端（２４ａ）：横線のようなもので測距可能。
（６）左中（２４ｂ）：横線のようなもので測距可能。
という特徴がある。
【００７８】
始めに図２に示す場合について説明する。
【００７９】
図２は、ＡＦ補助光２６がパターン投光タイプで図２の下に示すように、ランダムの横縞である場合の例を示す。
【００８０】
ステップＳ３０４で１回目の測距を行った結果、被写体コントラストがなく、ＡＦ補助光を投光する必要があると判断された場合は、ＡＦ補助光２６が投光される。ＡＦ補助光２６がランダムな横縞のパターン投光タイプであるので、ＡＦ補助光を投光しても、中央横のＡＦセンサー２４ｄでは像が出ないため、焦点検出ができない。
【００８１】
そこで、図２に示すような表示を外部液晶表示部２２に表示する。この表示を見れば、撮影者は、ＡＦセンサー２４ｄ以外のＡＦセンサーは全て使用可能であることが容易に分かる。
【００８２】
次に、ＡＦ補助光２６の投光パターンが縦縞のランダムパターンであった場合は、縦のＡＦセンサーでは像が出ないため、焦点検出ができない。つまり、中央縦（２４ｃ）、右端（２４ｆ）、右中（２４ｅ）、左端（２４ａ）、左中（２４ｂ）は焦点検出ができず、中央横（２４ｄ）のみ焦点検出可能となり、図３に示すような表示を表示部材に表示する。この表示を見れば、撮影者は、ＡＦセンサー２４ｄのみ、言い換えれば中央の測距点のみが使用可能であることが容易に分かる。
【００８３】
また、ＡＦ補助光２６がパターンのないランプであった場合は、すべてのＡＦセンサーで焦点検出が可能である。そこで、図４に示すような表示を外部液晶表示部２２に表示する。
【００８４】
本実施形態では、ＡＦ補助光がカメラに内蔵されているが、外付けストロボに付随するＡＦ補助光を考えた場合、ストロボにより補助光の種類が異なったときに、投光する補助光のパターンにより表示を切り替えることで、どの測距点で焦点検出が可能かを撮影者が確実に理解できるようになる。
【００８５】
また、使用可能な測距点を示す表示は、カメラボディーの表面に配置されるものの他に、ファインダースクリーン上に透過型の表示部材を配置するとよりよい。また、デジタルカメラの場合はＴＦＴなどの画像表示用の液晶表示部に表示してもよい。
【００８６】
また、図９は現在装着されているレンズの種類を判別し、カメラ内蔵のＡＦ補助光がけられるかどうかの情報をカメラ内に持ち、ＡＦ補助光がけられるレンズが装着されたと判断された場合は、けられない測距点のみを図９に示すように表示する例を示す。
【００８７】
（第２の実施形態）
本実施形態では、レンズの開放Ｆ値に応じて、有効なＡＦセンサー測距点を表示する例について説明する。
【００８８】
本実施形態でも、図１に示すような多点の測距点で、画面の５箇所の測距を行うものとする。
【００８９】
ただし、本実施形態では、中央の測距点は、十字センサーで、縦のＡＦセンサー２４ｃはＦ２．８の光束を用いて測距するものとし、また、横のセンサー２４ｄはＦ８の光束を用いて測距するものとする。
【００９０】
また、右端（２４ｆ）、右中（２４ｅ）、左端（２４ａ）、左中（２４ｂ）の４つのセンサーは縦ラインで、Ｆ５．６の光束を用いて測距するものとする。
【００９１】
よって、本実施形態におけるＡＦセンサーは、
（１）中央縦（２４ｃ）：横線のようなもので測距可能。ただし、レンズの開放Ｆ値がＦ２．８より明るい場合。
（２）中央横（２４ｄ）：縦線のようなもので測距可能。ただし、レンズの開放Ｆ値がＦ８より明るい場合。
（３）右端（２４ｆ）：横線のようなもので測距可能。ただし、レンズの開放Ｆ値がＦ５．６より明るい場合。
（４）右中（２４ｅ）：横線のようなもので測距可能。ただし、レンズの開放Ｆ値がＦ５．６より明るい場合。
（５）左端（２４ａ）：横線のようなもので測距可能。ただし、レンズの開放Ｆ値がＦ５．６より明るい場合。
（６）左中（２４ｂ）：横線のようなもので測距可能。ただし、レンズの開放Ｆ値がＦ５．６より明るい場合。
という特徴がある。
【００９２】
図１０は開放Ｆ値がＦ２．８より明るいレンズが装着された例で、すべてのＡＦセンサーで焦点検出が可能である。そこで、図１０に示すような表示を外部液晶表示部２２に表示する。
【００９３】
図１１は開放Ｆ値がＦ３．５のレンズが装着された例で、Ｆ２．８の光束を用いる中央縦（２４ｃ）のみが測距できず、中央縦（２４ｃ）以外はすべてのＡＦセンサーで焦点検出が可能である。そこで、図１１に示すような表示を外部液晶表示部２２に表示する。
【００９４】
図１２は開放Ｆ値がＦ８のレンズが装着された例で、中央横（２４ｄ）以外のすべてのＡＦセンサーで焦点検出が不可能である。そこで、図１２に示すような表示を外部液晶表示部２２に表示する。
【００９５】
なお、上記の第２の実施形態では、使用可能なＡＦセンサーを外部液晶表示部２２に表示する例について説明したが、これに限定されること無く、使用可能なＡＦセンサーをファインダー内に表示するようにすればより好ましい。
【００９６】
以上説明したように、上記の実施形態によれば、装着したレンズによる測距点の有効な個所とセンサーラインの向き（縦線で測距できるのか、横線で測距できるか）が明確になり、撮影者がオートフォーカスを用いてピント合わせする場合の利便性が向上する。
【００９７】
また、どこの測距点に対してどのような被写体なら測距可能か、また、現在のＡＦ補助光やレンズの状況ではどの測距点が有効かが撮影者に明確にわかり、測距できない状況で撮影をしようとして、撮影チャンスを逃すことがなくなる。
【図面の簡単な説明】
【００９８】
【図１】本発明の実施形態における多点の測距点の配置例を示す図である。
【図２】補助光の投光パターンが横線である場合の、使用可能なＡＦセンサーの表示例を示す図である。
【図３】補助光の投光パターンが縦線である場合の、使用可能なＡＦセンサーの表示例を示す図である。
【図４】補助光がランプ光である場合の、使用可能なＡＦセンサーの表示例を示す図である。
【図５】本発明の実施形態に係わるカメラの概略構成を示すブロック図である。
【図６】本発明の実施形態に係わるカメラの動作を示すフローチャートである。
【図７】位相検知オートフォーカスの検出原理を示す図である。
【図８】位相検知オートフォーカスの検出原理を示す図である。
【図９】レンズによりＡＦ補助光がけられる場合の、使用可能なＡＦセンサーの表示例を示す図である。
【図１０】使用するレンズの開放Ｆ値に応じた、使用可能なＡＦセンサーの表示例を示す図である。
【図１１】使用するレンズの開放Ｆ値に応じた、使用可能なＡＦセンサーの表示例を示す図である。
【図１２】使用するレンズの開放Ｆ値に応じた、使用可能なＡＦセンサーの表示例を示す図である。
【符号の説明】
【００９９】
１  交換レンズ
２  クイックリターンミラー
３  ファインダースクリーン
４  ペンタプリズム
５  フォーカルプレーンシャッター
６  撮像素子
７  クランプＣＤＳ回路
８  ＡＧＣ回路
９  Ａ／Ｄ変換器
１０  映像信号処理回路
１１  液晶駆動回路
１２  液晶表示部
１３  メモリーコントローラ
１４  メモリー
１５  外部インターフェース
１６  マイクロコンピューター
１７  電源
１８  操作部材
１９  バッファメモリー
２０  レリーズ釦
２１  液晶駆動回路
２２  外部液晶表示部
２３  ファインダー内液晶表示部
２４  ＡＦセンサー
２５  ＡＥセンサー
２６  ＡＦ補助光
【図１】
2006154668.tif 000003
【図２】
2006154668.tif 000004
【図３】
2006154668.tif 000005
【図４】
2006154668.tif 000006
【図５】
2006154668.tif 000007
【図６】
2006154668.tif 000008
【図７】
2006154668.tif 000009
【図８】
2006154668.tif 000010
【図９】
2006154668.tif 000011
【図１０】
2006154668.tif 000012
【図１１】
2006154668.tif 000013
【図１２】
2006154668.tif 000014